(57)【要約】【課題】登録装置と精算装置とを備える商品販売データ処理システムにおける客捌きの効率の向上が図られるようにする。【解決手段】店員の操作に応じて商品登録処理を実行する登録装置と、登録装置による商品の登録結果が反映された精算情報に基づく精算処理を客の操作に応じて実行する複数の精算装置とを備える商品販売データ処理システムとして、登録装置にて一取引に応じた商品登録処理が完了する以前のタイミングで、一取引に応じた精算処理を実行させるべき精算装置を指定する精算装置指定手段を備えて構成する。【選択図】図８
2019121083.tif 000002
【特許請求の範囲】
【請求項１】
店員の操作に応じて商品登録処理を実行する登録装置と、前記登録装置による商品の登録結果が反映された精算情報に基づく精算処理を客の操作に応じて実行する複数の精算装置とを備える商品販売データ処理システムであって、
前記登録装置にて一取引に応じた商品登録処理が完了する以前のタイミングで、前記一取引に応じた精算処理を実行させるべき精算装置を指定する精算装置指定手段を備える
商品販売データ処理システム。
【請求項２】
前記精算装置指定手段は、
前記登録装置にて一取引に応じた商品登録処理が開始される以前のタイミングで精算装置を指定する請求項１に記載の商品販売データ処理システム。
【請求項３】
前記精算装置指定手段は、
全ての前記精算装置について精算処理が不可の状態であった状態から、精算処理が可能な状態に遷移した精算装置を、前記一取引に応じた精算処理を実行させるべき精算装置として指定する
請求項１または２に記載の商品販売データ処理システム。
【請求項４】
前記精算装置指定手段により指定された精算装置の表示部において、現時点までに登録装置にて登録された商品に関する情報を表示させる表示制御部をさらに備える
請求項１から３のいずれか一項に記載の商品販売データ処理システム。
【請求項５】
前記精算装置は、
前記精算装置指定手段による指定に応じて、前記登録装置において前記一取引に応じた商品登録処理が完了する以前の段階から精算処理を開始する精算処理手段をさらに備える
請求項１から４のいずれか一項に記載の商品販売データ処理システム。
【請求項６】
商品登録処理が実行されている登録装置に対応する所定の撮像範囲を撮像する撮像手段と、
前記撮像手段により撮像された画像を、前記精算装置指定手段により指定された精算装置に対応する表示部において表示させる表示制御部をさらに備える
請求項１から５のいずれか一項に記載の商品販売データ処理システム。
【請求項７】
店員の操作に応じて商品登録処理を実行する登録装置であって、
一取引に応じた商品登録処理が完了する以前のタイミングで、前記一取引に応じた商品の登録結果が反映された精算情報に基づく精算処理を実行させるべき精算装置を、複数の精算装置のうちから指定する精算装置指定手段
を備える登録装置。
【請求項８】
店員の操作に応じて商品登録処理を実行する登録装置と、前記登録装置による商品の登録結果が反映された精算情報に基づく精算処理を客の操作に応じて実行する複数の精算装置とを備える商品販売データ処理システムにおいて備えられる所定の装置としてのコンピュータを、
前記登録装置にて一取引に応じた商品登録処理が完了する以前のタイミングで、前記一取引に応じた精算処理を実行させるべき精算装置を指定する精算装置指定手段
として機能させるためのプログラム。
【請求項９】
店員の操作に応じて商品登録処理を実行する登録装置としてのコンピュータを、
一取引に応じた商品登録処理が完了する以前のタイミングで、前記一取引に応じた商品の登録結果が反映された精算情報に基づく精算処理を実行させるべき精算装置を、複数の精算装置のうちから指定する精算装置指定手段
として機能させるためのプログラム。
【発明の詳細な説明】
【技術分野】
【０００１】
本発明は、商品販売データ処理システム、登録装置及びプログラムに関する。
【背景技術】
【０００２】
店員が行う操作に応じて商品登録処理を実行する登録装置と、客の操作に応じて登録装置にて実行された商品登録処理に応じた精算処理を実行する精算装置とをそれぞれ個別に備えたチェックアウトシステム（商品販売データ処理システム）が知られている。このような商品販売データ処理システムでは、登録装置にて一取引に応じた商品登録処理が例えば小計操作により完了されたことに応じて、精算装置にて同じ一取引についての精算処理を開始させるようにされている（例えば、特許文献１参照）。
このような商品販売データ処理システムでは、登録装置にて商品登録処理が完了した後は、精算装置にて客により精算が行われる。つまり、登録装置側では、店員は、一取引ごとに応じて順次、商品登録に応じた操作を行っていけばよく、精算に応じた操作を行わなくともよい。これにより、例えば１台のＰＯＳレジスタなどで店員が一取引ごとに商品登録と精算とに応じた操作を行う場合と比較して客捌きの効率化を図ることができる。
【先行技術文献】
【特許文献】
【０００３】
【特許文献１】特開２０１７−１６４１２号公報
【発明の概要】
【発明が解決しようとする課題】
【０００４】
しかしながら、登録装置と精算装置とを備える商品販売データ処理システムにおいては、例えば一取引において購入対象とされる商品が多いような場合、登録装置での商品登録に時間がかかることになる。このため、例えば客により使用されていない精算装置があるのにかかわらず、登録装置において客が滞っているといった状態となる場合がある。登録装置と精算装置とを備える商品販売データ処理システムにおいては、客捌きの効率化を向上させる余地が残っている。
【０００５】
本発明は、このような事情に鑑みてなされたもので、登録装置と精算装置とを備える商品販売データ処理システムにおける客捌きの効率の向上が図られるようにすることを目的とする。
【課題を解決するための手段】
【０００６】
上述した課題を解決するための本発明の一態様は、店員の操作に応じて商品登録処理を実行する登録装置と、前記登録装置による商品の登録結果が反映された精算情報に基づく精算処理を客の操作に応じて実行する精算装置とを備える商品販売データ処理システムであって、前記登録装置にて一取引に応じた商品登録処理が完了する以前のタイミングで、前記一取引に応じた精算処理を実行させるべき精算装置を指定する精算装置指定手段を備える商品販売データ処理システムである。
【０００７】
本発明の一態様は、店員の操作に応じて商品登録処理を実行する登録装置であって、一取引に応じた商品登録処理が完了する以前のタイミングで、前記一取引に応じた商品の登録結果が反映された精算情報に基づく精算処理を実行させるべき精算装置を、複数の精算装置のうちから指定する精算装置指定手段を備える登録装置である。
【０００８】
また、本発明の一態様は、店員の操作に応じて商品登録処理を実行する登録装置と、前記登録装置による商品の登録結果が反映された精算情報に基づく精算処理を客の操作に応じて実行する精算装置とを備える商品販売データ処理システムにおいて備えられる所定の装置としてのコンピュータを、前記登録装置にて一取引に応じた商品登録処理が完了する以前のタイミングで、前記一取引に応じた精算処理を実行させるべき精算装置を指定する精算装置指定手段として機能させるためのプログラムである。
【０００９】
本発明の一態様は、店員の操作に応じて商品登録処理を実行する登録装置としてのコンピュータを、一取引に応じた商品登録処理が完了する以前のタイミングで、前記一取引に応じた商品の登録結果が反映された精算情報に基づく精算処理を実行させるべき精算装置を、複数の精算装置のうちから指定する精算装置指定手段として機能させるためのプログラムである。
【発明の効果】
【００１０】
本発明によれば、登録装置と精算装置とを備える商品販売データ処理システムについて客捌きの効率の向上が図られるようになるという効果が得られる。
【図面の簡単な説明】
【００１１】
【図１】本実施形態におけるＰＯＳシステムの構成例を示す図である。
【図２】本実施形態における登録装置と精算装置の外観例を示す図である。
【図３】本実施形態における登録装置の構成例を示す図である。
【図４】本実施形態における精算装置の構成例を示す図である。
【図５】本実施形態における精算装置指定画面の一例を示す図である。
【図６】本実施形態における精算画面の一例を示す図である。
【図７】本実施形態における精算装置指定画面の一例を示す図である。
【図８】本実施形態における登録装置と精算装置とが実行する処理手順例を示すフローチャートである。
【発明を実施するための形態】
【００１２】
以下、本発明の実施形態について図面を参照して説明する。
＜第１実施形態＞
図１は、本実施形態に係るＰＯＳシステム１（商品販売データ処理システムの一例）の構成例を示している。同図に示すＰＯＳシステム１は、管理装置１０と、２台の登録装置２０−１、２０−２と、３台の精算装置３０−１、３０−２、３０−３とを備える。
なお、以降の説明にあたり、登録装置２０−１、２０−２について特に区別しない場合には、登録装置２０と記載する。また、精算装置３０−１、３０−２、３０−３について特に区別しない場合には、精算装置３０と記載する。
管理装置１０と登録装置２０と精算装置３０とは、有線または無線接続のＬＡＮ（Local Area Network）１１で相互に接続されている。
【００１３】
なお、同図に示したＰＯＳシステム１の構成は一例である。例えば、ＰＯＳシステム１において、登録装置２０と精算装置３０との設置数は特に限定されるものではなく、それぞれ１台以上であればよい。また、本実施形態のＰＯＳシステム１は、管理装置１０を含まない構成としてもよい。
なお、ＰＯＳシステム１の構成として、管理装置１０を含まない構成とする場合には、他の装置（例えば、複数の登録装置２０のうち代表となる１台の登録装置２０）に、管理装置１０としての機能を兼用させてもよい。
【００１４】
管理装置１０は、ＰＯＳシステム１を管理する情報処理装置であり、ＰＯＳシステム１において登録装置２０や精算装置３０などを管理し、商品マスタなどの種々の情報を管理する。管理装置１０は、登録装置２０及び各精算装置３０に、最新の商品マスタを適宜送信する。商品マスタとは、各商品の商品識別情報（例えば、ＪＡＮコード）、商品名（品名、アイテム名）、販売価格、値引き情報などの商品情報を格納したファイルである。
管理装置１０は、最新の商品情報が反映された商品マスタを、外部（例えば、本部のサーバ、リムーバブル形式の記憶媒体）から取得し、登録装置２０及び各精算装置３０に適宜送信する。
【００１５】
登録装置２０は、購入対象の商品を登録する商品登録処理を実行する。商品を登録する操作（商品登録操作）は、例えば、スキャナを用いて商品に付されているバーコードを読み取らせる操作、あるいは商品登録画面に表示されたプリセットボタン等に対する操作等として行われる。このような商品登録操作によって、登録装置２０には例えば商品識別情報が入力され、登録装置２０は、入力された商品識別情報に対応する商品情報を取得する。
また、登録装置２０は、一取引ごとに対応して登録された商品の精算に用いられる情報（以下、精算情報という）を生成し、記憶する。
【００１６】
精算情報は、対応の取引を識別する取引識別情報、当該精算情報を識別する精算情報識別情報、登録日時、登録された各商品の商品識別情報、登録された各商品の商品名、販売価格、値引き情報、購入対象の商品の品数を示す取引点数（購入点数）、購入対象の商品の総額（合計金額）を含んでよい。また、精算情報は、当該精算情報を生成した登録装置２０（すなわち、当該精算情報に係る商品を登録した登録装置２０）を識別するための登録装置識別情報をさらに含んでもよい。このように、精算情報は、一取引に応じた商品登録処理結果が反映された内容を有する。
【００１７】
精算情報は、精算装置３０において精算処理に用いられる。精算処理とは、登録された商品の代金を、現金、電子マネー、クレジットカードなどを選択的に用いて支払い、決済する処理である。
【００１８】
本実施形態では、複数の精算装置３０が設置され、複数のうちのいずれか１台が、登録装置２０において生成された精算情報を用いて精算処理を実行する。複数の精算装置３０のうちから、精算処理を実行させるべき精算装置３０を指定する態様としては、下記の第１の指定態様と第２の指定態様が挙げられる。
【００１９】
第１の指定態様は、精算処理を実行させる精算装置３０を、店員が登録装置２０にて指定する態様である。
すなわち、店員が、精算装置３０を指定する操作を登録装置２０に対して行うことによって、複数の精算装置３０のうちから精算処理を実行させる精算装置３０を指定する。
なお、登録装置２０において、各精算装置３０の稼働状況を示した稼働情報を表示するようにし、登録装置２０において、店員が精算装置３０を指定する際に、各精算装置３０の稼働状況を確認できるようにしてもよい。
【００２０】
店員が精算装置３０を指定した場合には、ＬＡＮ１１を介して、登録装置２０において生成された精算情報が、指定された精算装置３０に送信される。すなわち、登録装置２０は、商品登録処理に続いて精算装置３０が指定された場合には、指定された精算装置３０に対し、当該商品登録処理の結果が反映された精算情報を送信する。
なお、本実施形態では、登録装置２０は、直接、精算装置３０に精算情報を送信するが、管理装置１０を経由して、精算装置３０に精算情報を送信してもよい。
【００２１】
また、第２の指定態様は、精算処理用の媒体（お会計券（登録商標））を登録装置２０から発行させ、店員から手渡しされたお会計券を、客が１つの精算装置３０に読み取らせる態様である。
すなわち、客が、店員から手渡しされたお会計券を精算装置３０に読み取らせることによって、複数の精算装置３０のうちから精算処理を実行させる精算装置３０を指定する。
お会計券には、発行元の登録装置２０を示す登録装置識別情報と精算情報とが、バーコード（一次元コード）または二次元コードのいずれかのコードの形式で印字（印刷）されている。精算装置３０は、お会計券のコードを読み取ると、読み取ったコードにより示される精算情報を取得する。
【００２２】
精算装置３０は、客の操作に応じて精算処理を実行する。また、精算装置３０は、精算処理を終了した場合には、登録装置２０に精算処理の終了を通知する。
【００２３】
次に、図２〜図４を参照して、登録装置２０及び精算装置３０の構成例について説明する。
図２は、登録装置２０と精算装置３０との外観例を示す斜視図である。図３は、登録装置２０の構成例を示すブロック図である。図４は、精算装置３０の構成例を示すブロック図である。
【００２４】
登録装置２０は、図３に示すように、ＣＰＵ（Central Processing Unit）２０１と、記憶部２０２と、ＲＡＭ（Random Access Memory）２０３と、スキャナ部２０４と、店員用表示部２０５と、客用表示部２０５ａと、操作部２０６と、通信部２０７と、ブザー２０８と、印刷部２０９と、カードリーダ２１０を備える。これらは、バスを介して相互に通信可能である。
【００２５】
ＣＰＵ２０１は、中央演算処理装置であり、記憶部２０２に記憶されているプログラムを読み出して実行することにより、登録装置２０の動作を制御する。
記憶部２０２は、ＣＰＵ２０１の補助記憶装置であって、プログラムをはじめとしてＣＰＵ２０１が利用する各種の情報を記憶する。
【００２６】
ＲＡＭ２０３は、ＣＰＵ２０１の主記憶装置であって、種々の情報を記憶する。例えば、ＲＡＭ２０３は、管理装置１０から取得した商品マスタや、商品登録処理後に生成された精算情報などを記憶する。
スキャナ部２０４は、商品に付されているバーコード（商品コード）を光学的に読み取る。
【００２７】
店員用表示部２０５は、タッチパネル（例えば、液晶タッチパネル）であり、店員用の種々の情報を表示する。
例えば、店員用表示部２０５は、商品情報（商品コード等）に関連付けられているプリセットボタンを配置した商品登録画面などを表示する。
【００２８】
客用表示部２０５ａは、客用の種々の情報を表示する。例えば、客用表示部２０５ａは、登録した商品の価格等を表示する。客用表示部２０５ａは、タッチパネル（例えば、液晶タッチパネル）であってもよい。
【００２９】
操作部２０６は、登録装置２０を動作させるための各種の操作ボタン（小計キー、現計キー、置数キー、訂正キー、及びプリセットキー等）を備える。例えば、操作部２０６は、操作ボタン（プリセットキー）が操作されることにより、そのプリセットキーに予め設定登録されている商品情報（商品コード等）について、操作入力を受け付ける。
【００３０】
通信部２０７は、ＬＡＮ１１を介して、他の装置と通信する。
ブザー２０８は、店員が操作を確認することが必要な場合などに、ブザー音を発生させる。
印刷部２０９は、必要に応じて媒体を印刷して発行する。例えば、印刷部２０９は、お会計券を印刷して発行することができる。
【００３１】
カードリーダ２１０は、例えばＩＣ（Integrated Circuit）カード形式のＲＦＩＤ（Radio Frequency Identifier）タグに対する情報の読み出しを行うデバイスである。
【００３２】
図２においては、スキャナ部２０４、店員用表示部２０５、操作部２０６、印刷部２０９及びカードリーダ２１０を含む登録装置２０の外観例が示される。
【００３３】
精算装置３０は、図４に示すように、ＣＰＵ３０１と、記憶部３０２と、ＲＡＭ３０３と、スキャナ部３０４と、表示部３０５と、操作部３０６と、通信部３０７と、ブザー３０８と、印刷部３０９と、決済部３１０と、サインポール３１１と、人感知センサ３１２と、カードリーダ３１３とを備える。これらは、バスを介して相互に通信可能である。
【００３４】
ＣＰＵ３０１は、中央演算処理装置であり、記憶部３０２に記憶されているプログラムを読み出して実行することにより、精算装置３０の動作を制御する。
記憶部３０２は、ＣＰＵ３０１の補助記憶装置であって、プログラムをはじめとしてＣＰＵ３０１が利用する各種の情報を記憶する。
【００３５】
ＲＡＭ３０３は、ＣＰＵ３０１の主記憶装置であって、種々の情報を記憶する。例えば、ＲＡＭ３０３は、管理装置１０から取得した商品マスタや、登録装置２０から取得した精算情報に基づいて精算処理を実行した結果が反映された精算処理情報を記憶する。
スキャナ部３０４は、例えば、お会計券に印刷されたコード（バーコードまたは２次元コード）や、会員カード等に付されているコード（会員コード）を光学的に読み取る。
【００３６】
表示部３０５は、タッチパネル（例えば、液晶タッチパネル）であり、種々の情報を表示する。例えば、表示部３０５は、合計金額などが表示される精算画面を表示する。
【００３７】
操作部３０６は、精算装置３０を動作させるための各種の操作ボタン（訂正キー及びプリセットキー等）を備える。例えば、操作部３０６は、操作ボタン（訂正キー）が操作されることにより、操作入力の訂正を受け付ける。
【００３８】
通信部３０７は、ＬＡＮ１１を介して、他の装置と通信する。
ブザー３０８は、エラー等が発生した場合、エラーを報知するブザー音を発生させる。
印刷部３０９は、媒体を印刷して発行する。例えば、印刷部３０９は、精算処理（すなわち、商品の買上金額の決済）が終了した場合、客が持ち帰る精算済みレシートを印刷して発行する。
【００３９】
決済部３１０は、決済（精算）に関する処理を行う。本実施形態における決済部３１０が対応可能な決済の種別としては、現金による決済と、クレジットカードの使用による決済と、電子マネーの使用による決済とのうちの少なくともいずれか１つである場合を例に挙げる。
現金による決済に対応するため、決済部３１０は、釣銭機を備える。釣銭機は、紙幣の投入及び排出をする紙幣投入口、硬貨を投入するための硬貨投入口、釣銭を排出する釣銭排出口を備えている。決済部３１０は、釣銭機によって、現金により決済を実行し、決済を実行した結果（例えば、決済が成立したか否かを示す情報）を、バスを介してＣＰＵ３０１に出力する。
また、クレジットカードの使用による決済に対応する場合、決済部３１０は、クレジットカードリーダを備え、クレジットカードリーダにより読み込まれた情報を利用して精算処理を行う。
また、電子マネーの使用による決済に対応する場合、決済部３１０は、電子マネーリーダを備え、電子マネーリーダにより読み込まれた情報を利用して精算処理を行う。
【００４０】
サインポール３１１は、複数色の表示灯を有し、それらの表示灯を点灯や点滅させることで、精算装置３０が店員により指定された装置であることを示す情報を報知したり、操作可能である旨を報知したりする。
人感知センサ３１２は、精算装置３０の正面の所定圏内に人物（客）がいることを検知するセンサである。
なお、人感知センサ３１２の検知出力は、例えば精算装置３０が、人が自機に近づいたことに応じて、自動的に精算画面を表示させる際に、人が自機に近づいたか否かを判定するのに用いられる。しかしながら、精算装置３０は、例えば精算画面は、例えば精算情報の受信や、お会計券に印刷されたバーコードの読み取りなどに応じて表示されるようにしてもよく、この場合には、人感知センサ３１２は、省略されてよい。
【００４１】
カードリーダ３１３は、例えばＩＣカード形式のＲＦＩＤタグに対する情報の読み出しを行うデバイスである。
【００４２】
図２においては、スキャナ部３０４、表示部３０５、操作部３０６、印刷部３０９、決済部３１０、サインポール３１１及びカードリーダ３１３などを含む精算装置３０の外観構成が示される。
【００４３】
本実施形態のＰＯＳシステム１では、登録装置２０にて一取引に応じた商品登録処理が完了する以前のタイミングで、同じ一取引についての精算処理を実行させる精算装置３０を指定する、登録完了前精算指定が可能とされている。以下、本実施形態における登録完了前精算指定について説明する。以降の説明にあたり、精算処理を実行させる精算装置３０の指定は、前述の第１の指定態様に応じて行われる場合を例に挙げる。
【００４４】
登録装置２０を操作する店員は、一取引に応じた買上商品の全てについての登録の操作を終えると、小計操作を行う。小計操作に応じて、登録装置２０は、一取引に応じた商品登録処理を完了させる。
このように、一取引に応じた商品登録処理が完了すると、登録装置２０は、店員用表示部２０５に、精算装置指定画面を表示させる。このように表示される精算装置指定画面は、次に実行される商品登録処理に応じた精算処理を実行させる精算装置３０を指定する操作が行われる画面である。以降において、精算処理を実行させる精算装置３０を指定する操作については精算装置指定操作とも記載する。
【００４５】
図５は、一取引に応じた商品登録処理の完了後において店員用表示部２０５に表示される精算装置指定画面の一例を示している。
精算装置指定画面ＷＤ１は、例えば、次の一取引に応じた商品登録操作に対応する商品登録画面の上に重畳されるように配置されたウィンドウの態様で表示される。
まず、同図において精算装置指定画面ＷＤ１の背景に表示される商品登録画面について説明する。
同図の商品登録画面は、１取引ごとに対応する商品登録内容を示すシート（商品登録シート）が重ねられた構造を有する。各商品登録シートにはタブ（商品登録タブ：見出し領域の一例）が付されている。同図においては、３つの商品登録タブＴＡＢ１−１、ＴＡＢ１−２、ＴＡＢ１−３が表示されている。同図の商品登録画面は、これら３つの商品登録シートが重ねられた状態の構造を有する。
商品登録タブＴＡＢ１−１、ＴＡＢ１−２、ＴＡＢ１−３には、登録順番号を示す数字が表示されている。登録順番号は、商品の登録が開始された順番を示す。同図においては、商品登録タブＴＡＢ１−１、ＴＡＢ１−２、ＴＡＢ１−３のそれぞれに登録順番号「１」、「２」、「３」が表示されている。これは、商品の登録が開始された順番が、商品登録タブＴＡＢ１−１に対応する取引、商品登録タブＴＡＢ１−２に対応する取引、商品登録タブＴＡＢ１−３に対応する取引の順であることを示す。
なお、以降の説明にあたり、個々の商品登録タブＴＡＢ１−１、ＴＡＢ１−２、ＴＡＢ１−３等について特に区別しない場合には、商品登録タブＴＡＢ１と記載する。
【００４６】
同図のように３つの商品登録タブＴＡＢ１が表示されているということは、登録装置２０にて未だ商品登録が完了していない（商品登録中の）取引が３つあることを示している。店員は、これら３つの商品登録シートのうちで、最前面に配置される商品登録シートに対する操作を行って対応の取引についての商品登録を行うことができる。最前面よりも下に配置される商品登録シートが対応する取引については、商品登録が保留された状態である。
店員は、商品登録タブＴＡＢ１に対する操作（タッチ操作）を行うことで、操作された商品登録タブＴＡＢ１の付された商品登録シートを最前面に移動させ、最前面に移動された商品登録シートに対応する取引の商品登録を行うことができる。つまり、店員は、商品登録タブＴＡＢ１に対する操作によって複数の商品登録中の取引のうちから任意の１つの取引に対応する商品登録シートをアクティブとなるように選択し、アクティブの商品登録シートに対応する取引における商品登録操作を行うことができる。
【００４７】
同図においては、商品登録タブＴＡＢ１−１の付された商品登録シートが最前面で表示された状態が示されている。最前面で表示された商品登録シートにおいては、商品ボタンエリアＡＲ１０が配置されている。商品ボタンエリアＡＲ１０においては、商品ごとに対応する商品ボタンが配置される。商品ボタンには、例えば対応の商品を示す商品名が表示されている。
店員は、商品登録操作において、商品ボタンに対する操作を行うことで、登録対象の商品の指定を行うことができる。店員は、買上商品ごとに対応する商品ボタンに対する操作を行っていくことで、順次、商品の登録を行っていくことができる。
【００４８】
商品登録画面においては、登録商品リスト領域ＡＲ１１、登録商品領域ＡＲ１２、合計金額領域ＡＲ１３が配置される。登録商品リスト領域ＡＲ１１は、一取引において現時点までに登録された商品の内訳を示す領域である。登録商品領域ＡＲ１２は、一取引において最後に登録された商品についての情報を示す領域である。合計金額領域ＡＲ１３は、一取引においてこれまでに登録された商品の総数と合計金額とを示す領域である。
【００４９】
同図の商品登録シートに対応する商品登録の操作は未だ開始されていない。このため、登録商品リスト領域ＡＲ１１には、登録された商品に関する情報は示されていない。登録商品領域ＡＲ１２においても、最後に登録された商品に関する情報は示されておらず、商品の価格は０円として示される。合計金額領域ＡＲ１３においては、これまでに登録された商品の総数は「０」であり、合計金額も０円として示される。
【００５０】
また、商品登録画面においては、精算装置指定ボタンＢＴ１−１、ＢＴ１−２、ＢＴ１−３が配置される。精算装置指定ボタンＢＴ１−１、ＢＴ１−２、ＢＴ１−３は、それぞれ、精算装置３０−１、３０−２、３０−３に対応し、精算装置指定操作が行われるボタンである。本実施形態の場合、精算装置指定ボタンＢＴ１−１、ＢＴ１−２、ＢＴ１−３は、一取引に応じた商品登録処理が完了した段階で精算装置指定操作を行う場合に使用される。
なお、精算装置指定ボタンＢＴ１−１、ＢＴ１−２、ＢＴ１−３について特に区別しない場合には、精算装置指定ボタンＢＴ１と記載する。
【００５１】
また、精算装置指定ボタンＢＴ１においては、対応の精算装置３０についての現在の状態を示す精算装置状態表示が行われる。同図では、精算装置状態表示は、精算装置指定ボタンＢＴ１ごとに配置されたバッジＢＧにより行われる例が示される。
具体的に、同図の精算装置指定ボタンＢＴ１−１には、「待機」と表示されたバッジＢＧが配置された例が示されている。この精算装置指定ボタンＢＴ１−１の状態は、精算装置３０−１が精算処理の開始を待機している待機状態にあることを示す。つまり、この際の精算装置３０−１は、精算関連操作も開始されておらず、精算指示情報も受信していない状態である。
同図においては、精算装置指定ボタンＢＴ１−２においても「待機」と表示されたバッジＢＧが配置されており、精算装置３０−１が待機状態にあることを示している。
また、精算装置指定ボタンＢＴ１−３には、「使用中」と表示されたバッジＢＧが配置された例が示されている。さらに、精算装置指定ボタンＢＴ１−３における「精算機３」の文字に対して斜線が引かれた状態となっている。この精算装置指定ボタンＢＴ１−３の状態は、精算装置３０−３が、精算指示情報の受信により取得された精算情報に基づく精算処理を客の操作に応じて実行中であることを示す。
なお、上記のような精算装置３０の状態ごとに応じて、例えば精算装置指定ボタンＢＴ１自体の色、柄などが変更されるように表示されてもよい。
【００５２】
なお、精算装置状態表示によっては、例えばニアエンド、ニアフル、故障など、上記の「待機」、「使用中」以外の各種の状態も示されてよい。精算装置状態表示は、精算装置指定ボタンＢＴ１内に収まるように文字やアイコン等により表示したり、精算装置指定ボタンＢＴ１とは別の領域にて表示したりするなど、バッジＢＧ以外の態様によって表示されてもよい。
【００５３】
上記のような登録装置２０における精算装置３０ごとの状態に関する表示は、ＰＯＳシステム１において、精算装置３０が自己の状態についての通知を、定期的あるいは登録装置２０や管理装置１０からの問合せに応答して行うことにより実現される。
【００５４】
次に、上記の商品登録画面上に配置される精算装置指定画面ＷＤ１について説明する。精算装置指定画面ＷＤ１においては、商品登録操作を開始する前に精算装置指定操作を行うことを店員に案内するメッセージの表示とともに、精算装置指定ボタンＢＴ２−１、ＢＴ２−２、ＢＴ２−３が配置されている。
精算装置指定ボタンＢＴ２−１、ＢＴ２−２、ＢＴ２−３は、精算装置指定操作として、次に開始される一取引に対応の商品登録処理に応じて精算処理を実行させる精算装置３０を指定する操作が行われるホタンである。同図の精算装置指定ボタンＢＴ２−１、ＢＴ２−２、ＢＴ２−３は、それぞれ精算装置３０−１、３０−２、３０−３に対応する。以降の説明にあたり、精算装置指定ボタンＢＴ２−１、ＢＴ２−２、ＢＴ２−３について特に区別しない場合には、精算装置指定ボタンＢＴ２と記載する。
【００５５】
精算装置指定ボタンＢＴ２は、対応の精算装置３０が待機中とされて指定可能な状態である場合には操作可能なアクティブな状態で表示される。一方、精算装置指定ボタンＢＴ２は、対応の精算装置３０が使用中や故障などであって指定不可の状態である場合には、操作が不可とされ、例えばグレーアウトなどの態様により表示される。
同図の例では、精算装置３０−１、３０−２が待機状態であることに応じて、対応の精算装置指定ボタンＢＴ２−１、ＢＴ２−２については操作可能なアクティブの状態で表示されている。一方、精算装置３０−３が使用中とされていることで、対応の精算装置指定ボタンＢＴ２−３についてはグレーアウトで表示され、操作が不可の状態である。
【００５６】
上記のように精算装置指定画面ＷＤ１が表示された状態のもとで、店員は、次に商品登録を受けるために登録装置２０に来る客を待つ。そして、登録装置２０に客が来るタイミングで、店員は、例えば登録装置２０から精算装置３０までの距離や、店舗の状況などを確認しつつ、次の取引に対応して、精算装置３０−１、３０−２のうちのいずれにより精算処理を実行させるべきかを判断する。例えば、ここで精算装置３０−１により精算処理を実行させるべきであると判断した場合、店員は、精算装置３０−１に対応する精算装置指定ボタンＢＴ２−１に対する操作を行う。
この場合、店員は、登録装置２０に来た客から買上商品を預かったうえで、客には、商品登録処理の完了を待たずに、このまま精算装置３０−１に赴いてもらい、精算装置３０−１にて精算の操作を開始してもらうように伝える。
この後、店員は、客から預かった買上商品を登録する操作を順次行っていく。また、客は、精算装置３０−１に赴く。
【００５７】
登録装置２０は、上記のように精算装置指定画面ＷＤ１における精算装置指定ボタンＢＴ２−１に対する操作が行われたことに応じて、精算装置指定ボタンＢＴ２−１に対応する精算装置３０−１に対して精算指示情報を送信する。この場合、商品登録処理は開始されていないことから、精算指示情報には商品登録結果が反映された精算情報は含まれない。
【００５８】
待機状態であった精算装置３０−１は、上記のようにして登録装置２０から送信された精算指示情報を受信すると、精算処理モードに移行する。これにより、精算装置３０−１は、客による精算の操作を受付可能な状態となり、また、登録装置２０から送信される商品登録情報の受信を受付可能な状態となる。
これにより、本実施形態においては、同じ一取引に対応して、登録装置２０に対する店員の商品登録操作と、精算装置３０に対する客の精算の操作とを並行して行うことができる。
【００５９】
この場合の登録装置２０は、店員により商品ごとに対応して商品登録操作が行われると、登録された商品ごとに対応する商品登録情報を、逐次、精算装置３０−１に送信する。精算装置３０−１は、受信された商品登録情報を利用して、これまでに登録装置側にて実行されている商品登録処理の結果が反映された精算情報を生成する。この際、精算装置３０−１は、商品登録情報が受信されるごとに、受信された商品登録情報の内容が追加的に反映されるように精算情報を更新する。
【００６０】
精算装置３０−１は、客による精算に対応の操作を受け付けて精算処理を実行する。また、精算装置３０−１は、精算処理に対応する精算画面を表示部３０５に表示させる。
図６は、精算装置３０−１にて表示される精算画面の一例を示している。同図においては、現金による支払いが行われる場合の精算画面の例を示している。
同図の精算画面においては、登録数エリアＡＲ３１、合計金額エリアＡＲ３２、預かり金額エリアＡＲ３３、釣銭金額エリアＡＲ３４、及び登録商品リストエリアＡＲ３５が配置されている。
登録数エリアＡＲ３１は、現時点までに登録装置２０にて登録された商品の個数を示すエリアである。
合計金額エリアＡＲ３２は、現時点までに登録装置２０にて登録された商品の価格の合計金額を示すエリアである。
【００６１】
客は、現金による支払いを行う場合の精算操作として、支払いのための貨幣を精算装置３０に投入する操作行うことができる。投入された貨幣は、精算装置３０にて預かり金として管理される。預かり金額エリアＡＲ３３は、現時点までに預かり金として投入された貨幣の金額（預かり金額）を示すエリアである。
【００６２】
釣銭金額エリアＡＲ３４は、現時点において算出される釣銭の金額（釣銭金額）を示すエリアである。釣銭金額は、預かり金額から合計金額を減算することにより算出される。
登録商品リストエリアＡＲ３５は、現時点までに登録装置２０にて登録された商品リストが表示されるエリアである。登録商品リストエリアＡＲ３５により、現時点までに登録装置２０にて登録された商品の内訳が把握される。登録商品リストエリアＡＲ３５のリスト項目においては、登録順、商品名、商品の購入個数、価格が示される。
【００６３】
同図の例では、登録商品リストエリアＡＲ３５により、現時点までに、１つの「商品Ａ」、１つの「商品Ｂ」の順で、登録装置２０にて商品が登録されていることが示されている。また、登録商品リストエリアＡＲ３５においては、各１つの「商品Ａ」、「商品Ｂ」の価格が、それぞれ８００円、１１００円であることが示されている。登録商品リストエリアＡＲ３５を見ることで、客は、現時点までにおいて登録装置２０にて登録された商品の内訳を把握できる。
また、登録数エリアＡＲ３１においては、現時点までに２個の商品が登録されていることが示されている。合計金額エリアＡＲ３２においては、合計金額が１９００円であることが示されている。
預かり金額エリアＡＲ３３においては、現時点までに投入された預かり金額が１０００円であることが示されている。
釣銭金額エリアＡＲ３４においては、現時点において算出される釣銭金額が−９００円であることが示されている。このように、現時点において投入された預かり金額が合計金額よりも少ない場合には、釣銭金額については負の値により表されるようになっている。これにより、客としては不足金額を把握しやすくなる。
【００６４】
ここで、登録商品リストエリアＡＲ３５は、登録装置２０にて次の商品が登録されたことに応じて、登録装置２０から商品登録情報が送信されることで、送信された商品登録情報の内容が反映されるように変化する。つまり、登録商品リストエリアＡＲ３５は、登録装置２０にて次の商品が登録されるごとに、登録された商品のリスト項目が新たに表示されるように変化していく。
上記のように登録商品リストエリアＡＲ３５が変化することに伴い、登録数エリアＡＲ３１において示される商品の個数が増加するように変化する。また、合計金額エリアＡＲ３２においては、これまで表示されていた金額に、新たに登録された商品の価格が加算されるようにして合計金額が変化する。また、釣銭金額エリアＡＲ３４において表示される預かり金額も、新たに登録された商品の価格が加算された合計金額と現在の預かり金額とにより算出された金額に変化する。
【００６５】
登録装置２０にて商品登録を終えた店員は小計操作を行う。小計操作が行われたことに応じて、登録装置２０は、商品登録処理が完了したことの通知（商品登録完了通知）を精算装置３０−１に送信する。
精算装置３０−１は、商品登録完了通知の受信により、登録装置２０にて商品登録が完了したことを認識する。登録装置２０にて商品登録が完了したということは、登録装置２０から精算装置３０−１に対して、これ以上の商品登録情報は送信されないことである。
そこで、精算装置３０−１は、客に対して、表示あるいは音声等により商品登録が完了したことの報知を行ったうえで、客により投入される預かり金額が合計金額以上となるのを待機する。そして預かり金額が合計金額以上となったことに応じて、精算装置３０−１は、釣銭が発生している場合には、釣銭としての貨幣を排出する。また、精算装置３０−１は、これまでの精算処理の結果を示すレシートを発行する。このようにして、精算装置３０−１にて精算処理が終了する。
【００６６】
商品登録を終えた店員は、商品登録を済ませた商品を例えばカゴなどに容れたうえで、登録装置２０の近傍の商品置き場に置いておくようにする。精算を終えた客は、商品置き場に置かれたカゴを受け取り、必要に応じて買い物袋等に入れ替える。
【００６７】
このように、本実施形態においては、同じ一取引に対応して、店員が登録装置２０を操作して行う商品登録と、客が精算装置３０を操作して行う精算とを並行させることができる。即ち、本実施形態においては、客は、登録装置２０にて商品登録が完了するのを待って精算装置３０にて精算を行わなくともよい。これにより、一取引において商品登録から精算までの会計に要する時間を短縮することが可能となり、客捌きの効率の向上を図ることができる。
【００６８】
上記説明は、先の一取引に応じた商品登録処理が完了したタイミングにおいて、待機状態とされて指定可能な精算装置３０があった場合に対応している。しかしながら、一取引に応じた商品登録処理が完了したタイミングにおいて、精算装置３０のいずれもが使用中（精算処理中）あるいは故障などとされて指定不可の状態となっている可能性がある。
このような場合、登録装置２０は、先の一取引に応じた商品登録処理が完了したタイミングで図５のように精算装置指定画面ＷＤ１を表示させずに、そのまま次の取引に対応する商品登録画面を表示させた状態で、商品登録操作が開始されるのを待機する。なお、この際には、例えば、現在において精算処理を実行させることのできる精算装置３０がない旨を店員に報知する表示が行われるようにされてよい。
【００６９】
この場合、店員は、次に来た客に対応して次の一取引に応じた商品登録操作を開始してよい。登録装置２０は、商品登録操作に応じて商品登録処理を開始する。
そして、上記のように商品登録処理が開始されて後、商品登録処理が終了する前のタイミングで、いずれかの精算装置３０で精算処理が可能な状態になると、このタイミングで登録装置２０は、精算装置指定画面ＷＤ１を表示させる。即ち、この場合には、商品登録処理中において精算装置指定画面ＷＤ１の表示が行われる。
【００７０】
図７は、上記のように商品登録処理中において表示される精算装置指定画面ＷＤ１の態様例を示している。
同図に示されるように、精算装置指定画面ＷＤ１は、商品登録処理中に表示される場合においても、商品登録画面の上に重畳されるように表示される。この場合の商品登録画面においては、これまでの商品登録結果が反映された内容が示された状態となっている。同図では、価格が８００円の「商品Ａ」が１つ、登録済みとされた状態であることが示されている。
【００７１】
また、同図の商品登録画面における精算装置指定ボタンＢＴ１は以下のような表示となっている。
即ち、精算装置指定ボタンＢＴ１−１は、「使用中」のバッジＢＧが配置されたうえで、「精算機１」の文字に対して斜線が引かれた状態となっている。精算装置指定ボタンＢＴ１−２は、「待機」のバッジＢＧが配置されている。精算装置指定ボタンＢＴ１−３は、「使用中」のバッジＢＧが配置されたうえで、「精算機３」の文字に対して斜線が引かれた状態となっている。
上記の各精算装置指定ボタンＢＴ１の表示は、精算装置３０−１、３０−３が使用中（精算処理中）であるが、精算装置３０−２が待機状態であることを示している。
【００７２】
上記の精算装置３０の状態に応じて、同図の精算装置指定画面ＷＤ１においては、以下のように精算装置指定ボタンＢＴ２が表示されている。即ち、精算装置３０−２に対応する精算装置指定ボタンＢＴ２−２は操作可能なアクティブな状態で表示されているが、精算装置３０−１、３０−３に対応する精算装置指定ボタンＢＴ２−１、ＢＴ２−３は、いずれもグレーアウトで表示され、操作が不可の状態である。
【００７３】
そこで、この場合の店員は、精算装置指定ボタンＢＴ２−２に対する操作を行う。精算装置指定ボタンＢＴ２−２が操作されたことに応じて、精算装置指定画面ＷＤ１が消去されて商品登録画面がアクティブとなり、商品登録操作を受付可能となる。
また、登録装置２０は、精算装置指定ボタンＢＴ２−２に対する操作が行われたことに応じて、精算装置３０−２に対して精算指示情報を送信する。このように商品登録処理中に送信される精算指示情報には、これまでに登録された商品ごとについての商品登録情報が含まれる。
【００７４】
精算指示情報を受信した精算装置３０−２は、精算処理モードに移行し、客からの精算に関する操作を受付可能な状態となる。また、この際、精算装置３０−２は受信された精算指示情報に含まれていた商品登録情報により生成した精算情報の内容が反映された精算画面を表示する。図７の例との対応では、精算指示情報を受信した直後のタイミングで精算装置３０−２にて表示される精算画面は、１つの「商品Ａ」が登録されたことに応じた内容が表示された状態となる。
【００７５】
また、精算装置３０−２は、ＰＯＳシステム１において精算処理モードに移行したことの通知を行う。この通知に応じて、商品登録画面において配置される精算装置指定ボタンＢＴ１−２は、同図の待機状態を示す態様から、使用中（精算処理中）を示す態様に変化する。
【００７６】
店員は、上記のように精算装置指定ボタンＢＴ２−２に対する操作を行うと、客に、３０−１に赴いて、精算装置３０−１にて精算の操作を開始してもらうように案内する。また、店員は、残りの商品についての商品登録操作を行っていく。
このように、本実施形態においては、商品登録処理の開始前のタイミングで待機状態の精算装置３０がなかった状態であっても、商品登録処理中に１以上の精算装置３０が待機状態となったタイミングで精算装置指定操作を行うことができる。
この場合にも、精算装置指定操作が行われて以降は、店員が登録装置２０を操作して行う商品登録と、客が精算装置３０を操作して行う精算処理とを並行して行っていくことができる。
【００７７】
図８のフローチャートを参照して、本実施形態の登録装置２０と精算装置３０とが実行する処理手順例について説明する。
先に、登録装置２０が実行する処理手順例について説明する。
ステップＳ１０１：登録装置２０は、先の客の取引に対応する商品登録処理が完了するのを待機している。
ステップＳ１０２：先の客に対応する取引の商品登録処理が完了すると、登録装置２０は、現在において待機状態の精算装置３０があるか否かについて判定する。待機状態の精算装置３０が無い場合、即ち全ての精算装置３０が指定不可の状態である場合には、後述のステップＳ１０６の処理に移行する。
【００７８】
ステップＳ１０３：待機状態の精算装置３０がある場合、登録装置２０は、ステップＳ１０１にて商品登録処理が完了した取引の、次の取引（以下、「現取引」ともいう）に対応する、精算装置指定操作のための精算装置指定画面ＷＤ１を表示させる。精算装置指定画面ＷＤ１においては、待機状態に対応する精算装置３０の精算装置指定ボタンＢＴ２についてはアクティブな状態で表示され、待機状態ではない精算装置３０の精算装置指定ボタンＢＴ２についてグレーアウトなどによりアクティブでない状態で表示される。
ステップＳ１０４：登録装置２０は、ステップＳ１０３により表示させた精算装置指定画面ＷＤ１におけるアクティブな状態の精算装置指定ボタンＢＴ２に対して行われる操作（精算装置指定操作）を受け付ける。
ステップＳ１０５：登録装置２０は、精算装置指定ボタンＢＴ２に対して行われた操作を受け付けると、操作された精算装置指定ボタンＢＴ２に対応する精算装置３０に対して精算指示情報を送信する。
ステップＳ１０５により精算指示情報を送信する以前のタイミングで、現取引に対応する商品登録処理が開始されていない場合には、精算指示情報には商品登録情報は含まれない。一方、ステップＳ１０５により精算指示情報を送信する以前のタイミングで、既に現取引に対応する商品登録処理が開始されていた場合には、精算指示情報に商品登録情報が含まれる。
【００７９】
ステップＳ１０６：ステップＳ１０２にて待機状態の精算装置３０のないことが判定された場合、あるいはステップＳ１１１にて小計操作が行われないことが判定された場合、あるいはステップＳ１０５の処理の後、登録装置２０は、以下の処理を実行する。
つまり、登録装置２０は、ステップＳ１０１にて商品登録処理が完了した取引の、次の取引（以下、「現取引」ともいう）に対応する商品登録操作が行われたか否かについて判定する。
【００８０】
ステップＳ１０７：商品登録操作が行われた場合、登録装置２０は、商品登録操作に応じた商品登録処理を実行する。
ステップＳ１０８：登録装置２０は、現時点において、現取引に対応する精算指示情報を送信済みであるか否かについて判定する。現取引に対応する精算指示情報を送信済みである場合、ステップＳ１０１に対応する商品登録処理が完了してから現在までの間に、図５または図７のように表示された精算装置指定画面ＷＤ１に対する精算装置指定操作を行っている。
ステップＳ１０９：現取引に対応する精算指示情報を送信済みである場合、登録装置２０は、今回のステップＳ１０７の商品登録処理に対応する商品登録情報を精算装置３０に送信する。
【００８１】
ステップＳ１１０：ステップＳ１０６にて商品登録操作が行われていないと判定された場合、あるいはステップＳ１０８にて精算指示情報が送信済みでないと判定された場合、あるいはステップＳ１０９の処理の後、登録装置２０は、以下の処理を実行する。
つまり、登録装置２０は、未だ精算指示情報を送信していない（即ち、現取引における精算装置指定操作が行われてない）状態のもとで、これまで指定不可の状態だった精算装置３０が待機状態に変化する、という状況（以下、「精算装置指定可能状況」ともいう）となったか否かについて判定する。
精算装置指定可能状況とならない状況としては、未だ精算指示情報を送信していないが、全ての精算装置３０が指定不可の状態から変化していない状況が含まれる。また、既に精算指示情報を送信している状況は、精算装置３０の状態の変化にかかわらず、精算装置指定可能状況とはならない状況に該当する。
精算装置指定可能状況となったことが判定された場合には、ステップＳ１０３に処理が戻される。これにより、図７に示したように、商品登録処理中において、精算装置指定画面ＷＤ１が表示され、店員による精算装置指定操作が可能となる。
【００８２】
ステップＳ１１１：一方、精算装置指定可能状況とならなかったことが判定された場合、登録装置２０は、現取引に対応する小計操作が行われたか否かについて判定する。小計操作が行われていないことが判定された場合には、ステップＳ１０６に処理が戻される。
ステップＳ１１２：現取引に対応する小計操作が行われた場合、現取引についての商品登録処理が完了したことになる。この場合、登録装置２０は、現取引に対応する商品登録処理が完了したことを示す商品登録完了通知を精算装置３０に送信する。
【００８３】
続いて、精算装置３０が実行する処理手順例について説明する。
ステップＳ２０１：精算装置３０は、ステップＳ１０５により登録装置２０から送信される精算指示情報が受信されるのを待機する。
ステップＳ２０２：精算指示情報が受信されると、精算装置３０は、待機状態から精算処理モードに遷移し、表示部３０５にて精算画面の表示を開始させる。精算画面の表示の開始にあたり、受信された精算指示情報に商品登録情報が含まれていた場合、精算装置３０は、自己の精算処理に利用する精算情報を、受信された精算指示情報に含まれていた商品登録情報により生成する。精算装置３０は、図６のように、生成された精算情報の内容を反映した精算画面を表示させる。
【００８４】
ステップＳ２０３：精算装置３０は、ステップＳ１１２により登録装置２０から送信される商品登録完了通知が受信されたか否かについて判定する。
ステップＳ２０４：商品登録完了通知が受信されない場合、登録装置２０は、さらに、ステップＳ１０９により登録装置２０から送信される商品登録情報が受信されたか否かについて判定する。
ステップＳ２０５：商品登録情報が受信された場合、精算装置３０は、ステップＳ２０４に対応して受信された商品登録情報を精算情報に含める。そのうえで、精算装置３０は、ステップＳ２０４に対応して受信された商品登録情報が示す商品の価格を、これまでの合計金額に加算するようにして、現時点の合計金額（現合計金額）を算出する。精算装置３０は、算出された現合計金額と現時点の預かり金額とにより、現時点の釣銭金額についても算出する。
【００８５】
ステップＳ２０６：精算装置３０は、ステップＳ２０４による商品登録情報の受信に応じて、精算画面における表示を変更する。
具体的に、精算装置３０は、ステップＳ２０４により受信した商品登録情報が示す商品の個数に応じて、精算画面の登録数エリアＡＲ３１において表示される商品の個数を変更する。また、精算装置３０は、ステップＳ２０５により算出された現合計金額と現釣銭金額とを、それぞれ合計金額エリアＡＲ３２と釣銭金額エリアＡＲ３４とに表示させる。また、精算装置３０は、登録商品リストエリアＡＲ３５においてステップＳ２０４により受信した商品登録情報が示す商品のリスト項目が追加されるようにする。
【００８６】
ステップＳ２０７：ステップＳ２０３において商品登録完了通知の受信されたことが判定された場合、あるいはステップＳ２０４にて商品登録情報の受信されたことが判定された場合、あるいはステップＳ２０６の処理の後、精算装置３０は、以下の処理を実行する。
つまり、精算装置３０は、客による預かり金の入金としての貨幣の投入が検出されたか否かについて判定する。
貨幣の投入が検出されない場合、ステップＳ２０３に処理が戻される。
【００８７】
ステップＳ２０８：貨幣の投入が検出された場合、精算装置３０は、投入された貨幣の金額に対し、これまでの預かり金額に加算するようにして、現時点における預かり金額（現預かり金額）を算出する。また、現預かり金額の変化に伴い、現釣銭金額も変化する。そこで、精算装置３０は、算出された現預かり金額と現合計金額とを用いて、現釣銭金額を算出する。
【００８８】
ステップＳ２０９：精算装置３０は、ステップＳ２０７にて検出された貨幣の投入に応じて、精算画面における表示を変更する。
具体的に、精算装置３０は、ステップＳ２０８により算出された現預かり金額を預かり金額エリアＡＲ３３に表示させる。また、精算装置３０は、ステップＳ２０８により算出された現預かり金額と現釣銭金額とを、それぞれ預かり金額エリアＡＲ３３と釣銭金額エリアＡＲ３４とに表示させる。
【００８９】
ステップＳ２１０：ステップＳ２０９の処理の後、精算装置３０は、預かり金の入金が完了したか否かについて判定する。預かり金の入金は、商品登録完了通知が受信されており、かつ、現預かり金額が現合計金額以上となることを条件として完了する。
未だ、預かり金の入金が完了していない場合、ステップＳ２０３に処理が戻される。
ステップＳ２１１：預かり金の入金が完了した場合、精算装置３０は、決済処理を実行する。ここでの決済処理は、預かり金の入金が完了した時点での現預かり金額と現合計金額とにより算出される釣銭金額の貨幣を、釣銭として排出させる処理を含む。また、決済処理これまでの精算処理結果が反映された内容のレシートを発行する処理を含む。
【００９０】
＜変形例＞
以下、本実施形態の変形例について説明する。
［第１変形例］
上記実施形態では、同じ取引について、店員が登録装置２０に対して商品登録操作を行っているのと並行して、客が精算装置３０に対して精算の操作を行うことができる。この場合、客は、精算画面における登録商品リストエリアＡＲ３５の表示を見ることで、登録装置２０での店員がどこまで商品を登録しているのかを把握することができる。しかしながら、例えば客が登録装置２０にて商品の登録を受けている場合のように、店員により商品の登録が行われている状況を視覚的に把握することはできない。
【００９１】
そこで、本変形例のＰＯＳシステム１は、登録装置２０にて店員が商品登録操作を行っている様子を撮像可能なように撮像装置を備える。そして、登録装置２０から精算装置３０に精算指示情報を送信した後において、精算指示情報の送信先の精算装置３０に対して撮像装置により撮像された撮像画像が送信されるようにする。
撮像画像の送信の態様は、例えば撮像装置が、登録装置２０の制御に応じて、指定された精算装置３０に送信するようにされてもよい。あるいは、登録装置２０（管理装置１０でもよい）が、撮像装置により撮像された撮像画像を入力し、入力した撮像画像を、精算指示情報の送信後において、精算指示情報の送信先の精算装置３０に対して送信するようにしてよい。
【００９２】
撮像画像を受信した精算装置３０は、図示は省略するが、精算画面において、登録数エリアＡＲ３１、合計金額エリアＡＲ３２、預かり金額エリアＡＲ３３、釣銭金額エリアＡＲ３４、登録商品リストエリアＡＲ３５とともに、受信された撮像画像を表示させる。
このように精算画面において撮像画像が表示されることで、客は、登録装置２０にて客が行っている商品登録操作の様子を視覚的に把握することができる。
精算装置３０での撮像画像の表示は、例えば登録装置２０にて商品登録処理が完了したことに伴って停止されればよい。
【００９３】
また、さらに本変形例においては、精算を行っている客の様子を撮像可能なように撮像装置を設け、撮像された画像が精算指示情報の送信元の登録装置２０に送信されるようにしてよい。この場合、登録装置２０は、受信された撮像画像を商品登録画面とともに表示させる。これにより、店員も、精算装置３０にて精算を行っている客の様子を視覚的に把握できる。
【００９４】
［第２変形例］
登録装置と精算装置とを備えるＰＯＳシステムでは、品券の使用による支払いに対応する精算処理に関しては、登録装置が行うようにされ、精算装置では行えないようにされていることが一般的である。品券の使用による支払いに対応する精算処理を登録装置にて行うようにしている理由の１つに、使用された品券については不正に再使用されないように店員が回収する必要があることが挙げられる。
しかしながら、本実施形態において、精算装置が、品券の使用による支払いに対応する精算処理を行えないようにされている場合、品券を使用する客は、商品登録処理が完了するまで待たなければならない。
そこで、本変形例では、精算装置３０が品券の使用による支払いに対応して精算処理を行えるようにする。
ただし、精算装置３０は客により操作が行われるものであることから、精算装置３０の近傍に店員は常駐していない。このため、支払いに使用された品券が回収されることなく客によって不正に再使用されてしまう可能性がある。
そこで、本実施形態の精算装置３０は、品券の使用による精算処理を実行するにあたり、店員に対して報知を行う。報知の態様としては、例えばサインポール３１１を所定の色、パターンで点灯させてよい。あるいは、登録装置２０や管理装置１０にて表示や音声による報知が行われるようにされてもよい。
このように報知が行われるようにすれば、店舗における店員が即座に精算装置３０にまで赴いて使用済みの品券を回収できる。
【００９５】
［第３変形例］
上記実施形態においては、登録装置２０が図５または図７に示される精算装置指定画面ＷＤ１を表示し、店員が精算装置指定画面ＷＤ１に対して精算装置指定操作を行うようにされていた。つまり、上記実施形態においては、精算処理を実行させるべき精算装置３０が店員の操作によって指定される。
これに対して、本変形例では、精算装置指定画面ＷＤ１の表示に代えて、登録装置２０が精算処理を実行させるべき精算装置３０を決定し、決定された精算装置３０に精算指示情報を送信するようにされてよい。このような本変形例の場合には、精算装置指定画面ＷＤ１の表示に代えて、例えばいずれの精算装置３０を指定したのかを店員に報知する画面を表示させる。
また、本変形例において、精算処理を実行させるべき精算装置３０を決定するにあたっては、例えば、以下の第４変形例における第３の指定態様、第５の指定態様、及び第７の指定態様のいずれかの指定態様が適用されてよい。
【００９６】
［第４変形例］
なお、上記実施形態において、複数の精算装置３０のうちから精算処理を実行させる精算装置３０を指定する態様としては、精算処理を実行させる精算装置３０を、店員が登録装置２０にて指定する態様（第１の指定態様）と、客に手渡しされるお会計券を登録装置２０から発行させ、店員から手渡しされたお会計券を、客が１つの精算装置３０に読み取らせる態様（第２の指定態様）とを挙げている。しかながら、精算装置３０を指定する態様としては、上記の態様に限定されない。例えば、以下の第３の指定態様から第７の指定態様のように精算装置３０が指定されてもよい。
【００９７】
第３の指定態様として、商品登録の完了に応じて店員用表示部２０５に表示された精算装置指定ボタンに対して行われた操作に応じて（あるいは商品登録の完了を宣言するような操作であってもよい）、登録装置２０が、例えば精算装置３０に状態の問合せを行って精算処理が可能な（例えば、障害が発生しておらず、使用中でもない）精算装置３０を認識し、使用中でない精算装置３０のうちから所定の規則に従って、１つの精算装置３０を決定する。そして、登録装置２０は、決定した精算装置３０に精算情報を送信して精算処理の実行を指示する。
【００９８】
第４の指定態様として、予め精算装置３０について精算処理の優先順位を設定しておくようにする。そのうえで、商品登録の完了に応じて、店員用表示部２０５に精算装置３０への精算情報の送信を指示する送信ボタンの操作が有効となるように表示する。送信ボタンが操作されたことに応じて、登録装置２０は、設定された優先順位に従った順で精算装置３０の精算処理が可能であるか否かを確認し、精算処理が可能であることが確認されなければ、優先順位が次の精算装置３０について確認するようにする。そのうえで、登録装置２０は、最初に精算処理が可能であることが確認された精算装置３０に精算情報を送信して精算処理の実行を指示する。
【００９９】
なお、上記の第３の指定態様における所定規則に従った精算装置３０、あるいは第４の指定態様における精算装置３０の優先順位としては、例えば、精算装置３０に割り当てられた番号に基づいて決定されてよい。あるいは、登録装置２０から精算装置３０までの距離に基づいて決定されてよい。あるいは、合計金額に基づいて予測される釣銭の金種の内訳と精算装置３０の釣銭機に収納されている貨幣の金種ごとの枚数との関係に基づいて決定されてよい。
【０１００】
第５の指定態様として、登録装置２０は、全ての精算装置３０に精算情報を送信する。精算情報を受信した精算装置３０は、自己が受信した精算情報に含まれる精算情報を利用して精算処理を実行可能な状態となると、自己が精算処理を実行することを通知する精算処理実行通知を精算情報の送信元の登録装置２０に送信する。
登録装置２０は、精算処理実行通知の受信に応じて、精算処理実行通知の送信先の精算装置３０を示す表示（精算処理実行表示）を行う。店員は、精算処理実行表示を見て、精算処理を実行する精算装置３０がいずれであるのかを客に伝えればよい。
この際、精算処理実行表示とともに、精算処理実行通知を送信した精算装置３０のサインポール３１１を所定のパターンで点灯させたり、精算装置３０から所定の報知音を出力させたりすることで、自己が精算処理を実行することを報知するようにしてよい。
【０１０１】
上記の第３〜第５の指定態様による精算装置３０の指定によれば、精算処理を実行させるべき精算装置３０をいずれとするのかを判断しなくともよい。
【０１０２】
第６の指定態様として、登録装置２０にて商品登録を終えた商品が容れられた買い物カゴを、店員が、精算装置３０ごとに対応して設置されたカゴ置き場のうちのいずれかに買い物カゴを移動させる。
カゴ置き場には、載置された買い物カゴを検出するセンサ（重量センサ、あるいは光センサ等）が備えられる。センサによりカゴ置き場買い物カゴが載置されたことが判定されると、対応の精算装置３０が要求を行って、登録装置２０から対応の精算情報を取得し、精算処理を実行するようにされる。
この場合にも、精算処理を実行することとなった精算装置３０が、サインポール３１１の点灯や報知音の出力などにより、自己が精算処理を実行することを報知するようにしてよい。
なお、載置された買い物カゴを検出するセンサに代えて、例えば店員に対応して人感センサや撮像装置を設けてよい。そして、登録装置２０は、人感センサの検出出力や撮像装置により撮像して得られた画像等に基づいて、店員の動きを判断し、判断された結果に基づいて、店員が精算装置３０ごとに対応して設置されたカゴ置き場のうちのいずれに買い物カゴを設置したのかを判定する。そして、判定されたカゴ置き場に対応する精算装置３０を、精算処理を実行すべき精算装置３０として決定するようにしてよい。
【０１０３】
第７の指定態様として、登録装置２０は、精算情報と、複数の精算装置３０間での転送順を設定した転送順情報とを含む精算指示情報を、或る１つの精算装置３０に送信する。転送順情報は、精算装置３０間で循環的に転送順を指定するものであってよい。
精算指示情報を受信した精算装置３０は、自己が精算処理を実行可能であれば、精算指示情報の送信元の登録装置２０に対して、精算処理実行通知を送信し、受信された精算指示情報に含まれる精算情報を利用して精算処理を実行する。
一方、精算指示情報を受信した精算装置３０は、自己が精算処理を実行不可である場合、受信された精算指示情報に含まれる転送順情報に従って、転送順が次の精算装置３０に対して、受信された精算指示情報を転送する。このようにして、精算装置３０間で精算指示情報が順次転送されるようにすることによっても、精算処理を実行させるべき精算装置３０の指定に相当する手順が実現される。
【０１０４】
上記の各指定態様において、精算処理を実行させる精算装置３０の決定に関する処理は、例えば管理装置１０などのように、登録装置２０及び精算装置３０以外の所定の装置が、登録装置２０による商品登録処理の終了に応じて実行するようにされてよい。登録装置２０及び精算装置３０以外の所定の装置としては、例えば精算装置３０の状態をモニタリングするために設けられた装置等であってもよい。
【０１０５】
［第５変形例］
先の実施形態では、店員の操作に応じて商品登録処理を行う商品登録装置と、客の操作に応じて精算処理を実行する精算装置とを備えるＰＯＳシステム１を例に挙げた。
しかしながら、上記実施形態のように、商品登録処理が完了する以前のタイミングで精算処理が開始されるようにする構成は、以下のようなＰＯＳシステムにも適用してよい。
即ち、商品登録処理が完了する以前のタイミングで精算処理が開始されるようにする構成は、店員が商品登録操作を行い、店員の対面にて客が精算に対応する操作を行うようにされたＰＯＳレジスタを複数備えるＰＯＳシステムにも適用されてよい。このようなＰＯＳシステムの場合には１つのＰＯＳレジスタにおいて商品登録処理が完了する以前のタイミングで、他の複数のＰＯＳレジスタのうちのいずれかにて精算処理が実行されるように指示（精算指示情報の送信）が行われるようにされればよい。
また、商品登録処理が完了する以前のタイミングで精算処理が開始されるようにする構成は、店員が商品登録操作と精算に対応する操作とを行うようにされる第１会計モードと、店員が商品登録操作を行い、客が精算に対応する操作を行うようにされる第２会計モードと、客が商品登録操作と精算に対応する操作とを行うようにされる第３会計モードとで切り替えが可能なようにされたＰＯＳレジスタを複数備えるＰＯＳシステムにも適用できる。このようなＰＯＳシステムの場合には、例えば第１会計モードまたは第２会計モードの１つのＰＯＳレジスタにおいて店員の操作による商品登録処理が完了する以前のタイミングで、第２会計モードまたは第３会計モードの状態にある他のＰＯＳレジスタのうちのいずれかにて精算処理が実行されるように指示（精算指示情報の送信）が行われるようにされればよい。
【０１０６】
［第６変形例］
また、例えば、客が登録装置２０にて商品登録を受けている際に、商品登録処理が完了する以前の段階で、客用表示部２０５ａに対する操作によって、決済種別（現金、クレジットカード、電子マネー、プリペイドカード、品券、コード決済等）や自分が精算を行う精算装置３０を指定できるようにしてもよい。このような構成では、商品登録処理が完了していない状態であっても、客は、指定した精算装置３０に移動して精算のための操作を開始できる。
なお、コード決済は、以下のように行われる。一例として、客の所持する端末にインストールされた決済アプリケーションに客のクレジットカード等を登録させておく。精算に際しては端末のアプリケーションにより、登録されたクレジットカード等に対応する情報を示す一次元または二次元によるコードを表示させ、表示されたコードを精算装置３０に読み取らせる。これにより、精算装置３０は、読み取られたコードに対応するクレジットカード等を使用した精算処理を実行する。
また、コード決済の一例として、精算処理に際して、精算装置３０が一次元または二次元によるコードを表示部３０５に表示させる。表示されるコードは、精算装置３０が登録装置２０から受信した精算情報に基づく決済に関連する情報（決済情報）を示す。客は、自分が所持する端末のコードリーダー機能により、表示されたコードを端末に読み取らせる操作を行う。端末には、例えば決済に対応する決済アプリケーションがインストールされている。端末の決済アプリケーションは、コードの読み取りに応じて例えば決済サーバと通信を行い、読み取られたコードが示す決済情報を利用して、決済サーバと決済に応じたトランザクションを実行する。
【０１０７】
［第７変形例］
例えば、上記実施形態における精算装置３０は、客が精算を行う際に行う決済種別を指定する操作に応じて、指定された決済種別に対応する精算処理を実行することが可能とされている。
一方で、本変形例として、登録装置２０にて店員が商品登録の操作を行っているときに、客から伝えられた決済種別を指定する操作が行えるようにされてよい。この場合、登録装置２０は、精算処理の指示にあたり、指定された決済種別に対応する精算処理が可能な精算装置３０から選択された精算装置３０に対して精算処理の指示を行うようにされてもよい。
【０１０８】
［第８変形例］
また、例えば、前述の第１の指定態様により店員が精算処理を実行させる精算装置３０を指定する操作を行うようにされている場合には、図５及び図７等に示される精算装置指定ボタンＢＴ２のそれぞれにおいて、該当の精算装置３０が対応して精算処理が可能な決済種別が表示されるようにしてよい。これにより、店員は、例えば指定した決済種別に対応して精算処理が可能な精算装置３０を的確に把握したうえで、精算装置指定操作を行うことができる。
【０１０９】
［第９変形例］
また、商品登録画面にて配置される精算装置指定ボタンＢＴ１については、図５及び図７等に例示したバッジＢＧによる「使用中」、「待機」等の状態のほか、例えば、精算処理を実行中である場合には、指定された決済種別により精算処理を実行していることを示す表示が行われてよい。例えば、決済種別が現金である場合には、現在入金中の金額を示す表示が行われてよい。また、決済種別がクレジットカード、電子マネー、品券、コード決済等である場合には、これらの決済種別に対応させて、例えば「カード決済中」、「電子マネー決済中」、「品券利用決済中」、「コード決済中」等といった表示が行われるようにされてよい。
同様に、精算装置指定画面ＷＤ１において配置される精算装置指定ボタンＢＴ２についても、いずれの決済種別により精算処理を実行しているのかを示す表示等が行われるようにされてよい。
【０１１０】
なお、上述の登録装置２０、精算装置３０などとしての機能を実現するためのプログラムをコンピュータ読み取り可能な記録媒体に記録して、この記録媒体に記録されたプログラムをコンピュータシステムに読み込ませ、実行することにより上述の登録装置２０、精算装置３０などとしての処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムに既に記録されているプログラムとの組み合わせで実現できるもの、いわゆる差分ファイル（差分プログラム）であってもよい。
【０１１１】
＜実施形態の総括＞
（１）以上説明したように、本実施形態の一態様は、店員の操作に応じて商品登録処理を実行する登録装置（２０）と、前記登録装置による商品の登録結果が反映された精算情報に基づく精算処理を客の操作に応じて実行する精算装置（３０）とを備える商品販売データ処理システム（例えば、ＰＯＳシステム１）であって、前記登録装置にて一取引に応じた商品登録処理が完了する以前のタイミングで、前記一取引に応じた精算処理を実行させるべき精算装置を指定する精算装置指定手段を備える。
【０１１２】
上記構成によれば、同じ一取引に対応して、登録装置２０に対する店員の商品登録操作と、精算装置３０に対する客の精算の操作とを並行して行うことができる期間が得られる。これにより、登録装置と精算装置とを備えるＰＯＳシステム１における客捌きの効率の向上が図られる。
【０１１３】
（２）本実施形態の一態様は、（１）に記載の商品販売データ処理システムであって、前記精算装置指定手段は、前記登録装置にて一取引に応じた商品登録処理が開始される以前のタイミングで精算装置を指定する。
【０１１４】
上記構成によれば、店員による登録装置２０に対する商品登録操作が開始されるのとほぼ同じタイミングで、客による精算装置３０に対する精算の操作も開始できる。これにより、一取引における商品登録から精算までの会計に要する時間を極力短くすることが可能となり、客捌きの効率をさらに向上させることが可能になる。
【０１１５】
（３）本実施形態の一態様は、（１）または（２）に記載の商品販売データ処理システムであって、前記精算装置指定手段は、全ての前記精算装置について精算処理が不可の状態であった状態から、精算処理が可能な状態に遷移した精算装置を、前記一取引に応じた精算処理を実行させるべき精算装置として指定する。
【０１１６】
上記構成によれば、商品登録処理中において、精算処理が可能な状態に遷移した精算装置３０を、精算処理を実行させるべき精算装置として指定できる。つまり、全ての精算装置３０の精算処理が不可の状態で商品登録処理が開始されたとしても、商品登録処理の途中から、精算装置３０に対する精算の操作を客に行ってもらうようにできる。
【０１１７】
（４）本実施形態の一態様は、（１）から（３）のいずれか１つに記載の商品販売データ処理システムであって、前記精算装置指定手段により指定された精算装置の表示部（３０５）において、現時点までに登録装置にて登録された商品に関する情報を表示させる表示制御部をさらに備える。
【０１１８】
上記構成によれば、精算装置３０にて精算の操作を行っている客が、表示部３０５を見ることで、登録装置２０にてこれまでに登録された商品を把握できる。
【０１１９】
（５）本実施形態の一態様は、（１）から（４）のいずれか１つに記載の商品販売データ処理システムであって、前記精算装置は、前記精算装置指定手段による指定に応じて、前記登録装置において前記一取引に応じた商品登録処理が完了する以前の段階から精算処理を開始する精算処理手段をさらに備える。
【０１２０】
上記構成によれば、登録装置２０にて商品登録処理が完了していない状態のもとであっても、精算装置３０は、客の操作に応じて精算処理を実行していくことが可能になる。これにより、客捌きの効率をさらに向上させることが可能になる。
【０１２１】
（６）本実施形態の一態様は、（１）から（５）のいずれか１つに記載の商品販売データ処理システムであって、商品登録処理が実行されている登録装置に対応する所定の撮像範囲を撮像する撮像手段と、前記撮像手段により撮像された画像を、前記精算装置指定手段により指定された精算装置に対応する表示部３０５において表示させる表示制御部をさらに備える。
【０１２２】
上記構成によれば、精算装置３０にて精算の操作を行っている客は、表示部３０５を見ることで、登録装置２０にて店員より行われている商品登録操作の状況を視覚的に把握できる。
【０１２３】
（７）本実施形態の一態様は、店員の操作に応じて商品登録処理を実行する登録装置であって、一取引に応じた商品登録処理が完了する以前のタイミングで、前記一取引に応じた商品の登録結果が反映された精算情報に基づく精算処理を実行させるべき精算装置を、複数の精算装置のうちから指定する精算装置指定手段である。
【０１２４】
（８）本実施形態の一態様は、店員の操作に応じて商品登録処理を実行する登録装置と、前記登録装置による商品の登録結果が反映された精算情報に基づく精算処理を客の操作に応じて実行する精算装置とを備える商品販売データ処理システムにおいて備えられる所定の装置としてのコンピュータを、前記登録装置にて一取引に応じた商品登録処理が完了する以前のタイミングで、前記一取引に応じた精算処理を実行させるべき精算装置を指定する精算装置指定手段として機能させるためのプログラムである。
【０１２５】
（９）本実施形態の一態様は、店員の操作に応じて商品登録処理を実行する登録装置としてのコンピュータを、一取引に応じた商品登録処理が完了する以前のタイミングで、前記一取引に応じた商品の登録結果が反映された精算情報に基づく精算処理を実行させるべき精算装置を、複数の精算装置のうちから指定する精算装置指定手段として機能させるためのプログラムである。
【符号の説明】
【０１２６】
１  ＰＯＳシステム、１０  管理装置、１１  ＬＡＮ、２０（２０−１、２０−２）  登録装置、３０（３０−１〜３０−３）  精算装置、２０１  ＣＰＵ、２０２  記憶部、２０３  ＲＡＭ、２０４  スキャナ部、２０５  店員用表示部、２０５ａ  客用表示部、２０６  操作部、２０７  通信部、２０８  ブザー、２０９  印刷部、２１０  カードリーダ、３０１  ＣＰＵ、３０２  記憶部、３０３  ＲＡＭ、３０４  スキャナ部、３０５  表示部、３０６  操作部、３０７  通信部、３０８  ブザー、３０９  印刷部、３１０  決済部、３１１  サインポール、３１２  人感知センサ、３１３  カードリーダ
【図１】
2019121083.tif 000003
【図２】
2019121083.tif 000004
【図３】
2019121083.tif 000005
【図４】
2019121083.tif 000006
【図５】
2019121083.tif 000007
【図６】
2019121083.tif 000008
【図７】
2019121083.tif 000009
【図８】
2019121083.tif 000010